(57)【要約】      （修正有）【課題】建築物を緑化する簡易で低コストのシステムを提供する。【解決手段】ウォールプランターシステムは、植物が植えられるプランターと、プランターの内面下部またはプランターの下に敷かれる保水手段と、プランターと保水手段とを保持し建物の外壁に固定されて上面が開放された保持手段と、保持手段に水を導く給水手段５と、保持手段の余剰の水を排水する排水手段６とからなる。また、建物の外壁に上下に配列される複数の保持手段を有し、上に配置される保持手段の排水手段がその下に配置される保持手段の給水手段である。保持手段の排水手段から排水される水を受ける貯水手段と、貯水手段にたまった水を保持手段に揚水する揚水手段７とを備えてもよい。給水手段が水道管に接続される給水パイプ１１と、定められた時刻に動作させるタイマーによって自動的に止水および給水する自動給水手段１０とからなり、保持手段に自動的に給水してもよい。【選択図】図２
0003109083.tif 000002
【実用新案登録請求の範囲】
【請求項１】
建物の少なくとも一部の側面に固定されて植物が植えられるプランターと、前記プランターの内面下部に設けられる保水手段と、前記プランターに水を導く給水手段と、前記プランターの余剰の水を排水する排水手段とからなるウォールプランターシステム。
【請求項２】
植物が植えられるプランターと、前記プランターの内面下部またはプランターの下に設けられる保水手段と、前記プランターと保水手段とを保持し建物の少なくとも一部の側面に固定された上面が開放した保持手段と、前記保持手段に水を導く給水手段と、前記保持手段の余剰の水を排水する排水手段とからなるウォールプランターシステム。
【請求項３】
建物の少なくとも一部の側面に上下に配列される複数の前記プランターまたは保持手段を有し、上に配置される前記プランターまたは保持手段の排水手段がその下に配置される前記プランターまたは保持手段の給水手段である請求項１または２記載のウォールプランターシステム。
【請求項４】
建物の屋上に設けられた給水槽から、前記プランターまたは保持手段に給水する請求項１、２または３記載のウォールプランターシステム。
【請求項５】
前記排水手段から排水される水を受ける貯水手段と、該貯水手段にたまった水を前記保持手段に揚水する揚水手段とを備える請求項１、２、３または４記載のウォールプランターシステム。
【請求項６】
前記給水手段が水道管に接続される給水パイプと、前記ウォールプランターシステムの水の量を検出するセンサーの信号によって、自動的に止水および給水する自動給水手段とからなり、前記保持手段に自動的に給水する請求項１、２、３、４または５記載のウォールプランターシステム。
【考案の詳細な説明】
【技術分野】
【０００１】
本考案は建物の外壁に設置されるプランターのように植物を生育する手段に関する。さらに詳しくは、給水手段を有するプランターシステムに関する。
【背景技術】
【０００２】
近年、地球温暖化が進むなか、二酸化炭素の排出を抑制する一手段として、建物の屋上に庭園を設けて植物を屋上に植える方法がある。これは、屋上に植物を植える土壌を敷き、そこに植物を植えて適当に水と肥料を供給して、植物を生育させるものである。
【考案の開示】
【考案が解決しようとする課題】
【０００３】
しかし、屋上庭園には、植物を植えるための土壌の重さと屋上の腐食や雨漏りなどの問題をはじめ、給排水施設など技術的な課題がある。また、施工費に加えて維持管理費用にも莫大な経費を見込む必要があり、屋上庭園を採用した施設にはそのコストを埋め合わせるだけの集客力と販売力が求められる。
【０００４】
また、高層ビルやマンションの付帯施設としては、屋上には給水タンク、エレベータ機械室、空調機械があり、さらにヘリポートを設けると、屋上庭園はもとより、緑化ゾーンも小規模にならざるを得ない。
【０００５】
新築ビルに緑化ゾーンを設けることは設計段階からの誘導で、ある程度実現は可能であるが、リフォームビルにとっては、緑化ゾーンを見出すことは困難である。屋上であっても、植物の生育にふさわしい環境である保証もない。
【０００６】
本考案は、如上のような障害をクリアし、建築物を緑化する簡易で低コストであり、既存の建物にも適用できる新しいプランターシステムを提供することを目的とする。
【課題を解決するための手段】
【０００７】
本考案のウォールプランターシステムは、建物の少なくとも一部の側面に固定されて植物が植えられるプランターと、前記プランターの内面下部に設けられる保水手段と、前記プランターに水を導く給水手段と、前記プランターの余剰の水を排水する排水手段とからなることを特徴とする。
【０００８】
また、本考案のウォールプランターシステムは、植物が植えられるプランターと、前記プランターの内面下部またはプランターの下に設けられる保水手段と、前記プランターと保水手段とを保持し建物の少なくとも一部の側面に固定された上面が開放した保持手段と、前記保持手段に水を導く給水手段と、前記保持手段の余剰の水を排水する排水手段とからなることを特徴とする。
【０００９】
また、本考案のウォールプランターシステムは、建物の少なくとも一部の側面に上下に配列される複数の前記プランターまたは保持手段を有し、上に配置される前記プランターまたは保持手段の排水手段がその下に配置される前記プランターまたは保持手段の給水手段であることを特徴とする。
【００１０】
さらに、本考案のウォールプランターシステムは、建物の屋上に設けられた給水槽から、前記プランターまたは保持手段に給水してもよい。
【００１１】
さらに、本考案のウォールプランターシステムは、前記保持手段の排水手段から排水される水を受ける貯水手段と、該貯水手段にたまった水を前記保持手段に揚水する揚水手段とを備えてもよい。
【００１２】
またさらに、本考案のウォールプランターシステムは、前記給水手段が水道管に接続される給水パイプと、定められた時刻に動作させるタイマーによって自動的に止水および給水する自動給水手段とからなり、前記保持手段に自動的に給水することを併用してもよい。
【００１３】
本考案のウォールプランターシステムに植える植物としては、アイビー系の植物が適している。さらに、アイビー系のなかでもヘデラ（hedera）と呼ばれる品種が生育および美観の面から好適である。
【００１４】
本考案によれば、建物の外壁を簡易かつ安価に植物で覆うことができるので、建物の外壁に直射日光が当るのを防ぎ、建物の温度上昇を抑制する。その結果、建物のエネルギー消費を抑え、二酸化炭素の発生量を抑制できる。そして、建物の蓄熱を減少させる結果、ヒートアイランド現象の抑制につながる。また、自然の緑によって建物内外の人に癒し効果があり、景観がよくなるとともに、ビル内外に安らぎをもたらす。
【考案の効果】
【００１５】
本考案のウォールプランターシステムは、既存の建物にも設置することが可能で、自動給水のための手間がかからず、植物が順調に生育し、また維持費用も少なくて済む。
【考案を実施するための最良の形態】
【００１６】
つぎに、図面を参照しながら、本考案の一実施の形態について説明する。
【００１７】
図１は、本考案の一実施の形態にかかわるウォールプランターシステム１が設置された建物の一例を示す正面図である。また図２は、本考案の一実施の形態にかかわるウォールプランターシステム１の給排水機構を示す建物の断面図である。図３は、図１または２のウォールプランターシステム１における保持手段２の上下関係を示す断面図である。図４は、本実施の形態にかかわるウォールプランターシステム１の保持手段の１つを示す部分断面図である。図５は、本実施の形態にかかわるウォールプランターシステム１の保持手段の１つを示す平面図である。図６は、本実施の形態にかかわるウォールプランターシステム１における最上部（屋上階）の保持手段２の取付構造の一例を示す断面図である。
【００１８】
図１に示すように、上面が開口した箱型である保持手段２が建物の各階の窓下の外壁Ｗに固定されている。各階の保持手段２にはパイプでできた給水手段５と排水手段６が取り付けられている。上の保持手段２の排水手段６はその下の保持手段２の給水手段５になっている。１つの保持手段２の給水手段５と排水手段６はそれぞれ保持手段２の両端に取り付けられ、上の保持手段２とその下の保持手段２では給水手段５と排水手段６が互い違いになっている。そして、上の保持手段２の余剰な水は順次、下の保持手段２を通って下に排水されていくようになっている。保持手段２の中にはプランター３が保水手段４を敷いた上に置かれている（図３および図４）。保水手段４はプランター３の底部に敷かれてもよく、プランター３の底部とプランター３の下の両方にあってもよい。本実施の形態では、給水手段５と排水手段６をそれぞれパイプとしたが、排水手段６はパイプである必要はなく、たとえば鎖や親水性の棒などで下に排水を導くことができるものであればよい。
【００１９】
保持手段２はたとえば亜鉛メッキ鋼板で製造することができる。ほかに、コンクリート、合成樹脂または他の金属などであってもよい。そして保持手段２は建物の外壁Ｗにボルトで固定されている（図３）。また、給水手段５と排水手段６もたとえば亜鉛メッキ鋼管でできており、耐食性をもたせている。さらに、保持手段２、給水手段５および排水手段６は塗装が施されている。プランター３は特に限定されないが、プラスチック製または陶器製であることが耐食性の面から好ましい。プランター３には中に土を入れて、植物Ｐが植えられる。プランター３は底面に孔が開いており、余剰な水が排水されるとともに、乾燥した場合は保水手段４に含まれる水が吸収され、植物Ｐに適度に水を補給する。保水手段４としては、たとえば「オアシス」という商品名で知られる高級水性樹脂多孔質体を用いることができる。保水手段４はプランター３の内面底部に設けてもよい。
【００２０】
本実施の形態では、プランター３を保持する保持手段２を設けて、保持手段２を建物の外壁Ｗに固定したが、保持手段２を設けずプランター３を直接、外壁Ｗに固定してもよい。その場合は、給水手段５および排水手段６はプランター３に設けられる。
【００２１】
図２に示すように、最も下の保持手段２の排水手段６は揚水手段７に接続されている。揚水手段７には排水を受ける容器である貯水手段（図示せず）と、貯水手段にたまった水を最も上の保持手段２に揚水するポンプとを備える。揚水手段７によってポンプアップされる水は、揚水管８を通って屋上の給水槽１２に送られる。給水槽１２には、自動給水装置が設けられている。保持手段２にセンサーを設けて、水がなくなったことを検知した場合に自動的に給水するようになっている。
【００２２】
また、水道管９に接続された自動給水手段１０から、水道水が給水パイプ１１を通じて供給されるようになっている。自動給水手段１０には図示しないが、止水弁と、それを駆動するたとえばソレノイドなどのアクチュエータとが組み込まれている。そして、給水槽の水が所定の水位より少なくなったことを検知した場合に自動的に給水するようになっている。さらに、給水槽に建物（特に屋上）に降り注いだ雨を集めて貯めるようにしておいてもよい。
【００２３】
つぎに本実施の形態にかかわるウォールプランターシステム１の作用を説明する。
【００２４】
ウォールプランターシステム１の保持手段２は建物の外壁Ｗに固定され、上面が開口しているので自然の雨が保持手段２に降り注ぎ、中に雨水がたまる。保持手段２の底には保水手段４が敷かれていて、適度に水を吸収して保水する。雨が多い場合は、余剰な水は排水手段６から下に流れる。最も下の保持手段２から排水された水は揚水手段７の貯水手段にためられる。貯水手段があふれるような場合は雨水溝または下水に排水される。
【００２５】
晴れた日が続いても、通常は保水手段４に蓄えられた水がプランター３にしみこみ、植物Ｐに適度に水を補給するので、給水する必要がない。しかし、日照が強くまたは乾燥した季節で、保水手段４も乾燥するような場合には、給水槽にたまった水を保持手段２に給水する。上の保持手段２に給水すれば、順次下の保持手段２に水が流れて全ての保持手段２が給水される。さらに、給水槽の水もない場合は、自動給水手段１０を使って、水を供給する。本実施の形態では、保持手段２にセンサーを設けて、水がなくなった場合に給水するようにしたが、自動給水手段１０がタイマーで起動されるように構成してもよい。なお、揚水または自動給水に適度な濃度の液体肥料を混ぜて供給してもよい。
【００２６】
こうして適度な水が植物Ｐに補給されるので、人手がかからずに植物Ｐが順調に生育する。その結果、プランター３から伸びた植物Ｐが建物の外壁Ｗを覆い、直射日光が外壁Ｗに当るのをさえぎり、外壁Ｗの温度が上昇するのを抑制する。建物自体に蓄積される太陽エネルギーによる熱が少なくなるので、冷房運転が抑えられ、エネルギー消費を小さくできる。植物Ｐが窓を覆わないようにウォールプランターシステム１を配置すれば、視界をさえぎらず、また冬季の日差しを取り入れることができる。冬の間も植物Ｐによって外壁Ｗに直射日光が当らないが、むしろ日光の当らない曇りや夜間でも壁面からの放射を抑制するので、暖房費用が増加することはない。
【００２７】
また、屋内の人からは窓の外に植物Ｐが見え、外からも緑に覆われた美しい景観を呈するので、見る人にやすらぎを与える。
【００２８】
本実施の形態で示したように、給水手段５と排水手段６を保持手段２の左右に配置し、上下の保持手段２で給水手段５と排水手段６が互い違いになるようにすることは、給水を保持手段２の全体にいきわたらせる上で好ましいが、本考案はこのような配置に限られるものではなく、建物の形状や窓の配置に合わせて給水手段５と排水手段６を配置してよい。給水手段５と排水手段６が保持手段の左右にない場合でも、保水手段４の吸水効果によって、保持手段２の一部だけが乾燥することを避けることができる。
【００２９】
また、揚水手段７の貯水手段にためる水は最も下の保持手段２の排水手段６からだけでなくてもよい。最も下の保持手段２は雨水が集中するので、途中の保持手段２からの排水の一部を揚水手段７の容器に導いてもよい。さらに、上からの給水は最も上の保持手段２だけでなくてもよく、途中の保持手段２に直接給水してもよい。
【００３０】
なお、本実施の形態では屋上に給水槽１２を設けたが、給水槽１２を設置せずに揚水管８および自動給水手段１０に接続する給水手段５を直接保持手段２に引き込んでもよい。
【００３１】
従来、建物の外壁Ｗにつたを這わせることが行われているが、外壁Ｗにつたを這わせると外壁Ｗが傷むことがあり、また外壁Ｗを補修する場合につたを取り去らなければならず手間と費用がかかる。補修したのちにつたを這わせるためには時間がかかり、つたの這う高さに限界があって高い建物には適用できない。それに対して本考案は、植物が直接外壁Ｗに付着するわけではないので、外壁Ｗが傷まず補修する場合も植物をよけるだけでよいので簡単である。また、１つのプランターの植物で覆う壁面は部分的であり、設置してから短期間で外壁Ｗ全体を覆うことができる。さらに、外壁Ｗの補修のために植物を刈り込んでも、短期間で植物が生育して復元できる。
【図面の簡単な説明】
【００３２】
【図１】本考案の一実施の形態にかかわるウォールプランターシステムが設置された建物の一例を示す正面図である。
【図２】本考案の一実施の形態にかかわるウォールプランターシステムの給排水機構を示す建物の断面図である。
【図３】本考案の一実施の形態にかかわるウォールプランターシステムの上下の関係を示す断面図である。
【図４】本考案の一実施の形態にかかわるウォールプランターシステムの１つの保持手段の構造を示す部分断面図である。
【図５】本考案の一実施の形態にかかわるウォールプランターシステムの１つの保持手段の構造を示す平面図である。
【図６】本考案の一実施の形態にかかわるウォールプランターシステムの最上保持手段の取り付け構造を示す断面図である。
【符号の説明】
【００３３】
１  ウォールプランターシステム
２  保持手段
３  プランター
４  保水手段
５  給水手段
６  排水手段
７  揚水手段
８  揚水管
９  水道管
１０  自動給水手段
１１  給水パイプ
１２  給水槽
【図１】
0003109083.tif 000003
【図２】
0003109083.tif 000004
【図３】
0003109083.tif 000005
【図４】
0003109083.tif 000006
【図５】
0003109083.tif 000007
【図６】
0003109083.tif 000008